(57)【要約】【課題】歩行動作では正常歩行を促し、また運動動作の際には例えばエアロビクス（ダンス）での身体を爪先部中心に旋回し易くしたりしてバランス感覚や運動能力を助長する靴底を提供することを目的とした。【解決手段】トウスプリングを有し少なくともアウトソール６及びミッドシール７の２層底を設けた靴底1において、爪先部には接地面幅方向中央L1より底面外形が楕円形した球面状突起となる第１のアウトソール６aの最頂部６cを内側寄りに設けた。該第１のアウトソール６aはその突起高さを別部材の第２のアウトソール６bの接地面より高くすると共に、靴底の踵接地水平面に対し突出しないように形成した。第２のアウトソール６aには接地面側には環状溝１０と外周に連通する連通溝１１と、互いに四方の外方向に開放した滑り防止突起１２とを形成する。さらに、靴底の踵中央部にはミッドソール７の底面側に窪み９を形成した。【選択図】図１
0003155765.tif 000002
【実用新案登録請求の範囲】
【請求項１】
トウスプリングを有し少なくとも爪先部、不踏部及び踵部を備えアウトソールとミッドソールとの２層底からなる靴底において、爪先部には接地面幅方向中央より底面外形を楕円形した球面状突起となる第１のアウトソールの最頂部を内側寄りに設けると共にその球面状突起の長軸を第２趾骨に沿わせて配置し、該第１のアウトソールの最頂部の高さを別部材となる第２のアウトソールの接地面より高くし、しかも靴底の踵接地水平面より突出しないように形成したことを特徴とする靴底。
【請求項２】
上記アウトソールがゴム充実体からなり、またミッドソールは合成樹脂発泡体からなることを特徴とする請求項１記載の靴底。
【請求項３】
上記踵部の接地面外周縁部にアウトソールを配置すると共に踵中央部にはアウトソールを設けずミッドソールの底面を露出して窪みを形成したことを特徴とする請求項１乃至請求項２記載の靴底。
【請求項４】
上記第１のアウトソールはその球面状突起の最頂部を第２中足骨骨頭付近に配置したことを特徴とする請求項１乃至請求項３記載の靴底。
【請求項５】
上記第２のアウトソールは前記第１のアウトソールの外周部に配置した環状溝を介して設け、その第２のアウトソールの接地面側に該環状溝から靴底外周部に通じる複数の連通溝及び互いに外方に開放した湾曲状からなる滑り防止突起を形成したことを特徴とする請求項１乃至請求項４記載の靴底。
【考案の詳細な説明】
【技術分野】
【０００１】
本考案は、通常での歩行動作や走行、跳躍、旋回などの運動動作との両方動作において姿勢を安定保持する機能を持たせ兼用可能にした靴底に関し、特に歩行動作では正常歩行を促し、また運動動作の際には例えばエアロビクス（ダンス）での身体を爪先部中心に旋回し易くしたりしてバランス感覚や運動能力を助長する靴底に関するものである。
【背景技術】
【０００２】
従来、履物に関し、足腰の筋力を増強、健康促進を図る目的で、靴底接地面に凸曲面を備えた靴底構造を有した履物が特開２００５−１６９０５３号で提案されている。この靴底構造の凸曲面は足形底面の中央部を通る仮想曲面に沿った稜線を有し、前記凸曲面の最頂部が履物の足形底面の長手方向の前方部から略１／３に位置に位置し、該最頂部から爪先側、に向けて凸曲面で下降傾斜されており、また踵対応部が最頂部から踵対応部に向けて凸曲面で下降傾斜されて形成されている。
【０００３】
そして、この発明としては、その曲面の傾斜が全体的に急勾配となり、充分なローリングとピッチングの作用が期待でき、結果として筋力刺激を引き出すことができ、また股歩きの矯正、足の湾曲矯正など図ることができるとするものである。
【０００４】
しかし、この従来の履物は凸曲面の最頂部中心に旋回動作ができるものの最頂部は前方部から略１／３の位置であるのでバランスが取り難く、また踵対応部が凸曲面で薄く形成されているため衝撃吸収性に欠け、ジャンプの際の着地では、足に大きな衝撃を受けたりして足に故障をきたす問題点があった。さらに、この従来の履物は通常歩行の際、靴底前面が急勾配の凸曲面であるため足に無理な荷重がかかり、通常の靴としては使用できないので履き替える必要があった。
【０００５】
そして、この従来の履物は靴底前方部の凸曲面の稜線が靴底中央を通る仮想曲線でしかも靴底前方部が厚く形成されている為、靴底爪先部に屈曲性を有していなく、また該稜線に沿って靴底中央前方へ重心誘導され、本来正常歩行での第１趾又は第２趾先端方向への蹴り出し動作が行われずに不具合が感じられた。さらに、従来の靴底は立位状態でも、常時爪先部が極端に上がった姿勢に保持される状態であるため立位安定性に欠ける問題点があった。
【先行技術文献】
【特許文献】
【０００６】
【特許文献１】特開２００５−１６９０５３号公報
【考案の概要】
【考案が解決しようとする課題】
【０００７】
解決しようとする問題点は、通常歩行での使用と走行、跳躍、旋回などの運動と使用を兼用する場合、両方の動作を共用して姿勢を安定保持する機能などの特性を発揮できない点である。また、上記従来の履物は、一方の運動能力を助長させることができるが、身体の故障や怪我する危険性もあり回避することが期待できないという問題もあった。
【課題を解決するための手段】
【０００８】
請求項１記載の靴底は、トウスプリングを有し少なくとも爪先部、不踏部及び踵部を備えアウトソールとミッドソールとの２層底からなる靴底において、爪先部には接地面幅方向中央より底面外形を楕円形した球面状突起となる第１のアウトソールの最頂部を内側寄りに設けると共にその球面状突起の長軸を第２趾骨に沿わせて配置し、該第１のアウトソールの最頂部の高さを別部材となる第２のアウトソールの接地面より高くし、しかも靴底の踵接地水平面より突出しないように形成した。
【０００９】
また、請求項２記載の靴底は、請求項１記載の靴底において、靴底はアウトソールがゴム充実体からなり、またミッドソールは合成樹脂発泡体からなる。
【００１０】
また、請求項３記載の靴底は、請求項１乃至請求項２記載の靴底において、踵部の接地面外周縁部にアウトソールを配置すると共に踵中央部にはアウトソールを設けず、ミッドソールの底面側を露出して窪みを形成した。
【００１１】
また、請求項４記載の靴底は、請求項１乃至請求項３記載の靴底において、第１のアウトソ−ルはその球面状突起の最頂部を第２中足骨骨頭付近に配置した。
【００１２】
また、請求項５記載の靴底は、請求項１乃至請求項４記載の靴底において、第２のアウトソールは前記第１のアウトソールの外周部に配置した環状溝を介して設け、その第２のアウトソールの接地面側に該環状溝から靴底外周部に通じる複数の連通溝及び互いに外方向に開放した湾曲状からなる滑り防止突起を形成した。
【考案の効果】
【００１３】
本考案の靴底は、通常歩行では爪先部の内側寄りに配した球面状突起により体重の重心がその長軸に沿って第２趾先端方向に誘導され歩行動作を安定して正常歩行を図ると共に蹴り出し動作が促される。また、本考案の靴底は踵部接地面を地面に着けた状態では該球面状突起の最頂部が靴底の踵接地水平面より突出しない高さで形成されているので足裏に違和感を全く受けないという利点がある。
【００１４】
本考案の靴底は、旋回運動では踵部を地面より少し浮かせただけで、前記球面状突起の最頂部、即ち第２中足骨骨頭付近を中心に身体をスムーズに安定して回転できるようになり、バランス運動能力を効果的に高められるという利点がある。
【００１５】
また、本考案の靴底は踵接地面外周部をアウトソールで形成し、踵中央部の底面側を合成樹脂発泡体からなるミッドソールを露出して窪みが形成されているので、該踵中央部が下方に撓みジャンプの際の着地衝撃力を吸収し和らげることができ足への障害が未然に防止される。  
【００１６】
さらに、滑り防止突起は、互いに四方の外方向に開放した湾曲状突起で構成しているため、全方向に対して防滑機能が発揮される。また、本考案の靴底は旋回時の発生する床と球面状突起とでの摩擦熱が環状溝から連通溝を通じて靴底外周部へ放熱され速やかに冷却され、耐久性が向上する効果がある。
【００１７】
本考案の靴底は爪先部が第１のアウトソールと第２のアウトソールとが別部材からなるので、色彩を変えることが自由選択でき商品価値を高めることができ、また部材が消耗した場合は別々に張り替えることができるので修復に便利である。
【図面の簡単な説明】
【００１８】
【図１】図１は靴底を接地面からみた説明図である。
【図２】図２は球面状突起と趾骨（足の骨）との配置関係を示した説明図である。
【図３】図３は図１のＡ-Ａ切断を示した断面図である。
【図４】図４は図１のＢ-Ｂ切断を示した断面図である。
【図５】図５は図１のＣ-Ｃ切断を示した断面図である。
【考案を実施するための形態】
【００１９】
通常の歩行用と跳躍、旋回などの運動用とを兼用し、その両方を共に姿勢の安定保持効果を高めた靴底を提供する目的を、トウスプリングを設け、アウトソールとミッドソールとの２層底からなり、その靴底の接地面側爪先部に内側寄りに球面状突起を設け、その突起の高さを隣接した別部材のアウトソールの高さより少し高くし、その球面状突起の長軸を第２趾に沿って配した簡易な構造で実現した。
【実施例１】
【００２０】
図１は、本考案の靴底の１実施例の平面図であって、図２は球面状突起と趾骨（足の骨）との配置関係を示した説明図である。また、図３は図１のＡ-Ａ切断した断面図、図４は図１のＢ-Ｂ切断を示した断面図であり、図５は図１のＣ-Ｃ切断を示した断面図である。１は靴底、２はトウスプリング、３は爪先部、４は不踏部、５は踵部、６ａは第１のアウトソール（球面状突起）、６ｂは第２のアウトソール、７はミッドソール、８は切欠き部、９は窪みである。
【００２１】
本考案は図１及び図３に示すようにトウスプリング２を有し爪先部３、不踏部４及び踵部５を備えた靴底1において、少なくともアウトソール６及びミッドソール７の２層底で形成される。靴底１の爪先部３におけるアウトソール６は第１のアウトソール６ａと第２のアウトソール６ｂとから構成し、その材料は耐摩耗性素材からなり、具体的には天然ゴム、合成ゴムまたはこれらを混合させたゴム充実体が使用される。
【００２２】
ミッドソール７は着地での衝撃力を緩和するために合成樹脂発泡体からなり、具体的にはウレタン発泡材、ＥＶＡ発泡材が使用される。靴底のトウスプリング２は５〜２０度の角度で形成される。靴底の不踏部４は接地面側を大きく切欠いた形状にすれば、軽量化が図られる。
【００２３】
球面状突起６ａはトウスプリング２を１５度に形成した爪先部３に設けられ、第１のアウトソール６aに相当し天然ゴムと合成ゴムとを混合したゴム素材で成形した。球面状突起６ａの形状は図１、図２及び図３に示すように靴サイズ２１ｃｍの場合、その底面の長軸１３を約５ｃｍ、短軸１４を約４．５ｃｍの楕円形とし、またその最頂部６cの高さを５ｍｍとした形状とし、それに隣接する別部材の第２のアウトソール６ｂの接地面より約１〜３ｍｍ（h）程度突出させると共に、靴底の踵接地水平面L２より突出しない高さで形成されるようにミッドソール７に設けられる。そして球面状突起６aの位置はその最頂部６cを爪先部幅方向中央Ｌ1より内側寄りに設け、好ましくは図２に示すように第２趾骨頭部イの位置に合わせて配置する共に、球面状突起の長軸Ｌ1を第２趾に沿って配置するのが好ましい。これにより、歩行時の身体重心が長軸Ｌ１に沿って効果的に自然に第２趾先端方向に誘導され、蹴り出し動作がスムーズに行われる。また、球面状突起６aは図２に示すように必要に応じてその表面に星型などの飾り彫り意匠を設けてもよい。
【００２４】
ミッドソール７は衝撃吸収性を有するＥＶＡ発泡体で成形した。ミッドソール７はその本体成形時に環状溝１０と、該球面状突起６aと同形の枠１０aとを同時に成形しておくと、その枠10aを目安に球面状突起６aを正確且つ簡易に配置でき組み立て製作するのに便利である。
【００２５】
そして、本考案の靴底1は、前記球面状突起６aの外周部に沿った環状溝１０が成形されたミッドソール７に前記球面状突起となる第１のアウトソール６aと、該環状溝１０の外周に別体からなる第２のアウトソール６bとを接着などにより設けられる。靴底の爪先部３は第１のアウトソール６aと第２のアウトソール６bと色彩を異にした別部材、例えば第１のアウトソール６aを赤色、第２のアウトソール６bを灰色とし色彩を変えたゴム素材で成形した。また、第２のアウトソール６bは爪先部の前後左右の接地面表面に互いに四方の外方向に向けた湾曲状滑り止め突起１２を形成する。該滑り防止突起１２の断面形状は三角形、四角形、台形などでよいが、防滑効果の高い三角形状が好ましい。さらに、第２のアウトソール６bの接地面表面には、環状溝１０から靴底外周部に通じる複数の連通溝１１が球面状突起を中心に放射状に配列されるように形成される。これらによって、本発明の靴底１は滑り防止突起１２によりあらゆる方向に対しても防滑効果が得られ、また球面状突起での回転動作による摩擦熱が環状溝１０から連通溝１１を通じて外部へ放熱され効果的に冷却される。また、連通溝１１は靴底爪先部における屈曲性を付与し蹴り出しし易い効果も有している。
【００２６】
本考案の靴底1は、不踏部４を大きく切欠いた形状にすれば軽量の観点から好ましいが、その分強度が弱くなるので必要に応じてミッドソール上面に樹脂製や金属性のシャンクを設けることが好ましい。本考案の靴底１は図５に示すように踵部には接地面外周縁部にアウトソール６を設け、その踵中央部にはアウトソール６を設けずに接地面側から見えるようにミッドソール７の底面に窪み９を形成する。これにより、本考案の靴底は踵着地時の衝撃力をミッドソール７がその窪み９へ撓むことで吸収し緩和される。また踵部のアウトソール６は爪先部の第２のアウトソール６aと延設した形状で形成すれば制作モールドや部品数が減少し管理し易くなる利点がある。
【００２７】
また、ミッドソール７は、クッション性を良好にするのに比較的厚みを厚くするように形成されるが、厚くなると屈曲性が悪くなるので必要に応じて爪先部の上面側には屈曲溝を成形した方が好ましい。
【００２８】
このような構成したので、本考案の靴底は踵部の外側から第５趾の小趾球部、第１趾の母趾球部、それから中足趾節関節を曲げながら第１趾、第２趾、第３趾の足指で蹴り出される正常歩行を第２趾に沿って配置された球面状突起で誘導する効果がある。また旋回などの運動時では踵を少し浮かせることによって、前記球面状突起が配置された第２中足骨骨頭付近を中心にスムーズな回転可能となり、特にバランス感覚が向上する効果が得られる。しかも、踵中央部でのミッドソールの窪みにより着地衝撃力が緩和され、また立位状態では、靴底接地水平面と突出ない状態になるので足裏に全く違和感がない状況が得られた。
【産業上の利用可能性】
【００２９】
本発明の靴底は、使用用途をスニーカー、スポーツシューズを問わず革靴、婦人靴、サンダルなどにも共用できる。
【符号の説明】
【００３０】
１    靴底
２    トウスプリング
３    爪先部
４    不踏部  
５    踵部 
６   アウトソール   ６a 第１のアウトソール（球面状突起）   ６b 第２のアウトソール
６c最頂部
７   ミッドソール    
８   切欠き部
９   窪み
１０  環状溝        １０a 枠
１１  連通溝
１２ 滑り防止突起
１３ 長軸
１４ 短軸
Ｌ1  接地面幅方向中央
Ｌ2  踵接地水平面
イ   第２中足骨骨頭部
【図１】
0003155765.tif 000003
【図２】
0003155765.tif 000004
【図３】
0003155765.tif 000005
【図４】
0003155765.tif 000006
【図５】
0003155765.tif 000007
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
トウスプリングを有し少なくとも爪先部、不踏部及び踵部を備えアウトソールとミッドソールとの２層底からなる靴底において、爪先部には接地面幅方向中央より底面外形を楕円形した球面状突起となる第１のアウトソールの最頂部を内側寄りに設けると共にその球面状突起の長軸を第２趾骨に沿わせて配置し、該第１のアウトソールの最頂部の高さを別部材となる第２のアウトソールの接地面より高くし、しかも靴底の踵接地水平面より突出しないように形成したことを特徴とする靴底。
【請求項２】
上記アウトソールがゴム充実体からなり、またミッドソールは合成樹脂発泡体からなることを特徴とする請求項１記載の靴底。
【請求項３】
上記踵部の接地面外周縁部にアウトソールを配置すると共に踵中央部にはアウトソールを設けずミッドソールの底面を露出して窪みを形成したことを特徴とする請求項１または２記載の靴底。
【請求項４】
上記第１のアウトソールはその球面状突起の最頂部を第２中足骨骨頭付近に配置したことを特徴とする請求項１乃至３の何れか一項に記載の靴底。
【請求項５】
上記第２のアウトソールは前記第１のアウトソールの外周部に配置した環状溝を介して設け、その第２のアウトソールの接地面側に該環状溝から靴底外周部に通じる複数の連通溝及び互いに外方に開放した湾曲状からなる滑り防止突起を形成したことを特徴とする請求項１乃至４の何れか一項に記載の靴底。
【手続補正２】
【補正対象書類名】図面
【補正対象項目名】全図
【補正方法】変更
【補正の内容】
【図１】
0003155765.tif 000008
【図２】
0003155765.tif 000009
【図３】
0003155765.tif 000010
【図４】
0003155765.tif 000011
【図５】
0003155765.tif 000012